(57)【要約】  本発明に係る移動通信方法は、移動局３００が、移動通信ネットワークに対して特定通信の開始を要求する通信開始要求を送信する工程Ａと、移動通信ネットワークが、受信した通信開始要求に係る通信種別を判定する工程Ｂと、移動通信ネットワークが、判定した通信種別及び移動局３００の位置に基づいて、移動局３００が特定通信を行う際に接続すべき無線基地局を選択する工程Ｃと、移動局３００が、選択された無線基地局を介して特定通信を開始する工程Ｄとを有する。
2009148125.tif 000002
【特許請求の範囲】
【請求項１】
移動局が、移動通信ネットワークに対して、特定通信の開始を要求する通信開始要求を送信する工程Ａと、
前記移動通信ネットワークが、受信した前記通信開始要求に係る通信種別を判定する工程Ｂと、
前記移動通信ネットワークが、判定した前記通信種別及び前記移動局の位置に基づいて、該移動局が前記特定通信を行う際に接続すべき接続先無線基地局を選択する工程Ｃと、
前記移動局が、選択された前記接続先無線基地局を介して前記特定通信を開始する工程Ｄとを有することを特徴とする移動通信方法。
【請求項２】
前記工程Ｂにおいて、前記移動通信ネットワークは、前記通信開始要求に含まれる宛先情報に基づいて、該通信開始要求に係る通信種別を判定することを特徴とする請求項１に記載の移動通信方法。
【請求項３】
前記移動通信ネットワークが、前記移動局の位置登録エリア、該移動局が通信中のセルの識別情報、該移動局が位置する経度、緯度及び高度を示す位置情報の少なくとも１つに基づいて、該移動局の位置を把握する工程を有することを特徴とする請求項１に記載の移動通信方法。
【請求項４】
前記工程Ｃにおいて、前記特定通信が、緊急通信である場合、前記移動通信ネットワークは、前記移動局が該特定通信を行う際に接続すべき接続先無線基地局として、設置位置情報、配下のエリアにおける無線品質状況、バックホール回線の品質状況、公衆通信用無線基地局であるか否かの少なくとも１つによって信頼性が高いと判定されている無線基地局を選択することを特徴とする請求項１に記載の移動通信方法。
【請求項５】
前記特定通信として緊急通信を行っている前記移動局が、特定無線基地局に対するハンドオーバ要求を送信した場合、前記移動通信ネットワークは、該特定無線基地局について信頼性が高いと判定されていない場合、該ハンドオーバ要求を受け付けないことを特徴とする請求項１に記載の移動通信方法。
【請求項６】
前記工程Ｂにおいて、前記移動通信ネットワークにおけるネットワーク装置が、前記通信開始要求に係る通信種別を判定し、
前記工程Ｃにおいて、前記移動通信ネットワークにおける無線制御装置が、前記動局が前記特定通信を行う際に接続すべき接続先無線基地局を選択することを特徴とする請求項１に記載の移動通信方法。
【請求項７】
前記工程Ｂにおいて、前記移動通信ネットワークにおけるネットワーク装置が、前記通信開始要求に係る通信種別を判定し、
前記工程Ｃにおいて、前記ネットワーク装置が、前記動局が前記特定通信を行う際に接続すべき接続先無線基地局を選択することを特徴とする請求項１に記載の移動通信方法。
【請求項８】
移動局によって送信された特定通信の開始を要求する通信開始要求に係る通信種別及び該移動局の位置に基づいて、該移動局が該特定通信を行う際に接続すべき接続先無線基地局を選択するように構成されている接続先無線基地局選択部と、
前記移動局に対して、前記接続先無線基地局選択部によって選択された前記接続先無線基地局を介して通信を開始するための接続用パラメータを通知するように構成されている接続用パラメータ通知部とを具備することを特徴とする無線制御装置。
【請求項９】
前記接続先無線基地局選択部は、前記移動局の位置登録エリア、該移動局が通信中のセルの識別情報、該移動局が位置する経度、緯度及び高度を示す位置情報の少なくとも１つに基づいて、該移動局の位置を把握するように構成されていることを特徴とする請求項８に記載の無線制御装置。
【請求項１０】
前記特定通信が、緊急通信である場合、前記接続先無線基地局選択部は、前記移動局が該特定通信を行う際に接続すべき接続先無線基地局として、設置位置情報、配下のエリアにおける無線品質状況、バックホール回線の品質状況、公衆通信用無線基地局であるか否かの少なくとも１つによって信頼性が高いと判定されている無線基地局を選択するように構成されていることを特徴とする請求項８に記載の無線制御装置。
【請求項１１】
前記特定通信として緊急通信を行っている前記移動局が、特定無線基地局に対するハンドオーバ要求を送信した場合、該特定無線基地局について信頼性が高いと判定されていない場合、該ハンドオーバ要求を受け付けないように構成されていることを特徴とする請求項８に記載の無線制御装置。
【請求項１２】
移動局によって送信された特定通信の開始を要求する通信開始要求に係る通信種別を判定するように構成されている通信種別判定部と、
前記通信開始要求に係る通信種別及び前記移動局の位置に基づいて、該移動局が該特定通信を行う際に接続すべき接続先無線基地局を選択するように構成されている接続先無線基地局選択部と、
前記移動局に対して、前記接続先無線基地局選択部によって選択された前記接続先無線基地局を介して通信を開始するための接続用パラメータを通知するように構成されている接続用パラメータ通知部とを具備することを特徴とするネットワーク装置。
【請求項１３】
前記接続先無線基地局選択部は、前記移動局の位置登録エリア、該移動局が通信中のセルの識別情報、該移動局が位置する経度、緯度及び高度を示す位置情報の少なくとも１つに基づいて、該移動局の位置を把握するように構成されていることを特徴とする請求項１２に記載のネットワーク装置。
【請求項１４】
前記特定通信が、緊急通信である場合、前記接続先無線基地局選択部は、前記移動局が該特定通信を行う際に接続すべき接続先無線基地局として、設置位置情報、配下のエリアにおける無線品質状況、バックホール回線の品質状況、公衆通信用無線基地局であるか否かの少なくとも１つによって信頼性が高いと判定されている無線基地局を選択するように構成されていることを特徴とする請求項１２に記載のネットワーク装置。
【請求項１５】
前記特定通信として緊急通信を行っている前記移動局が、特定無線基地局に対するハンドオーバ要求を送信した場合、該特定無線基地局について信頼性が高いと判定されていない場合、該ハンドオーバ要求を受け付けないように構成されていることを特徴とする請求項１２に記載のネットワーク装置。
【請求項１６】
移動局によって送信された特定通信の開始を要求する通信開始要求に係る通信種別及び該移動局の位置に基づいて、該移動局が該特定通信を行う際に接続すべき接続先無線基地局を選択するように構成されている接続先無線基地局選択部と、
前記移動局に対して、前記接続先無線基地局選択部によって選択された前記接続先無線基地局を介して通信を開始するための接続用パラメータを通知するように構成されている接続用パラメータ通知部とを具備することを特徴とする無線基地局。
【請求項１７】
前記接続先無線基地局選択部は、前記移動局の位置登録エリア、該移動局が通信中のセルの識別情報、該移動局が位置する経度、緯度及び高度を示す位置情報の少なくとも１つに基づいて、該移動局の位置を把握するように構成されていることを特徴とする請求項１６に記載の無線基地局。
【請求項１８】
前記特定通信が、緊急通信である場合、前記接続先無線基地局選択部は、前記移動局が該特定通信を行う際に接続すべき接続先無線基地局として、設置位置情報、配下のエリアにおける無線品質状況、バックホール回線の品質状況、公衆通信用無線基地局であるか否かの少なくとも１つによって信頼性が高いと判定されている無線基地局を選択するように構成されていることを特徴とする請求項１６に記載の無線基地局。
【請求項１９】
移動局によって送信された特定通信の開始を要求する通信開始要求に係る通信種別及び該移動局の位置に基づいて、該移動局が該特定通信を行う際に接続すべき無線基地局を選択するように構成されている接続先無線基地局選択部と、
前記移動局に対して、前記接続先無線基地局選択部によって選択された前記無線基地局を介して通信を開始するための接続用パラメータを通知するように構成されている接続用パラメータ通知部とを具備することを特徴とする集約装置。
【発明の詳細な説明】
【技術分野】
【０００１】
本発明は、移動通信方法、無線制御装置、ネットワーク装置、無線基地局及び集約装置に関する。
【背景技術】
【０００２】
一般的に、移動通信システムでは、公衆通信用無線基地局は、移動局からのサービス品質要求に応えるために、ネットワーク管理者によって、以下のように運用される。【０００３】
（１）公衆通信用無線基地局と移動通信事業者ネットワークとの間の回線には専用線を用いており、当該移動通信事業者によって制御できないトラフィックについては収容しない。【０００４】
（２）移動通信事業者ネットワーク内を流れるデータに対する優先度のポリシーを統一して、ユーザからのサービス品質要求に応じて、かかる優先度を割り当てる。【０００５】
なお、「ホーム無線基地局（Ｈｏｍｅ  ｅＮＢ）」と呼ばれるような家庭等の小規模なエリアに設置される無線基地局については、ＦＴＴＨやＡＤＳＬ等のユーザが加入している一般のアクセス回線に接続されて運用されることが想定されている。
【発明の概要】
【発明が解決しようとする課題】
【０００６】
しかしながら、ホーム無線基地局と移動通信事業者ネットワークとの間の回線上に、移動通信事業者によって制御できないトラフィック（例えば、ホーム無線基地局が接続されているユーザ用ＬＡＮ上を流れるインターネットトラフィック等）と当該ホーム無線基地局用のトラフィックとが重畳される場合がある。【０００７】
したがって、ホーム無線基地局では、かかるインターネットトラフィックが増加した場合等に、特定通信に対するユーザからのサービス品質要求を満足できなくなる可能性があるという問題点があった。【０００８】
このようなホーム無線基地局を介して、１１０番や１１９番宛ての通信のような緊急通信を行うことは、かかる緊急通信に対するユーザからのサービス品質要求を満たすことができなくなる可能性があり、好ましくない。【０００９】
そこで、本発明は、上述の課題に鑑みてなされたものであり、緊急通信のような特定通信に対するユーザからのサービス品質要求を満たすことができる移動通信方法、無線制御装置、ネットワーク装置、無線基地局及び集約装置を提供することを目的とする。
【課題を解決するための手段】
【００１０】
本発明の第１の特徴は、移動通信方法であって、移動局が、移動通信ネットワークに対して、特定通信の開始を要求する通信開始要求を送信する工程Ａと、前記移動通信ネットワークが、受信した前記通信開始要求に係る通信種別を判定する工程Ｂと、前記移動通信ネットワークが、判定した前記通信種別及び前記移動局の位置に基づいて、該移動局が前記特定通信を行う際に接続すべき接続先無線基地局を選択する工程Ｃと、前記移動局が、選択された前記接続先無線基地局を介して前記特定通信を開始する工程Ｄとを有することを要旨とする。【００１１】
本発明の第１の特徴において、前記工程Ｂにおいて、前記移動通信ネットワークは、前記通信開始要求に含まれる宛先情報に基づいて、該通信開始要求に係る通信種別を判定してもよい。【００１２】
本発明の第１の特徴において、前記移動通信ネットワークが、前記移動局の位置登録エリア、該移動局が通信中のセルの識別情報、該移動局が位置する経度、緯度及び高度を示す位置情報の少なくとも１つに基づいて、該移動局の位置を把握する工程を有してもよい。【００１３】
本発明の第１の特徴において、前記工程Ｃにおいて、前記特定通信が、緊急通信である場合、前記移動通信ネットワークは、前記移動局が該特定通信を行う際に接続すべき接続先無線基地局として、設置位置情報、配下のエリアにおける無線品質状況、バックホール回線の品質状況、公衆通信用無線基地局であるか否かの少なくとも１つによって信頼性が高いと判定されている無線基地局を選択してもよい。【００１４】
本発明の第１の特徴において、前記特定通信として緊急通信を行っている前記移動局が、特定無線基地局に対するハンドオーバ要求を送信した場合、前記移動通信ネットワークは、該特定無線基地局について信頼性が高いと判定されていない場合、該ハンドオーバ要求を受け付けなくてもよい。【００１５】
本発明の第１の特徴において、前記工程Ｂにおいて、前記移動通信ネットワークにおけるネットワーク装置が、前記通信開始要求に係る通信種別を判定し、前記工程Ｃにおいて、前記移動通信ネットワークにおける無線制御装置が、前記動局が前記特定通信を行う際に接続すべき接続先無線基地局を選択してもよい。【００１６】
本発明の第１の特徴において、前記工程Ｂにおいて、前記移動通信ネットワークにおけるネットワーク装置が、前記通信開始要求に係る通信種別を判定し、前記工程Ｃにおいて、前記ネットワーク装置が、前記動局が前記特定通信を行う際に接続すべき接続先無線基地局を選択してもよい。【００１７】
本発明の第２の特徴は、無線制御装置であって、移動局によって送信された特定通信の開始を要求する通信開始要求に係る通信種別及び該移動局の位置に基づいて、該移動局が該特定通信を行う際に接続すべき接続先無線基地局を選択するように構成されている接続先無線基地局選択部と、前記移動局に対して、前記接続先無線基地局選択部によって選択された前記接続先無線基地局を介して通信を開始するための接続用パラメータを通知するように構成されている接続用パラメータ通知部とを具備することを要旨とする。【００１８】
本発明の第２の特徴において、前記接続先無線基地局選択部は、前記移動局の位置登録エリア、該移動局が通信中のセルの識別情報、該移動局が位置する経度、緯度及び高度を示す位置情報の少なくとも１つに基づいて、該移動局の位置を把握するように構成されていてもよい。【００１９】
本発明の第２の特徴において、前記特定通信が、緊急通信である場合、前記接続先無線基地局選択部は、前記移動局が該特定通信を行う際に接続すべき接続先無線基地局として、設置位置情報、配下のエリアにおける無線品質状況、バックホール回線の品質状況、公衆通信用無線基地局であるか否かの少なくとも１つによって信頼性が高いと判定されている無線基地局を選択するように構成されていてもよい。【００２０】
本発明の第２の特徴において、前記特定通信として緊急通信を行っている前記移動局が、特定無線基地局に対するハンドオーバ要求を送信した場合、該特定無線基地局について信頼性が高いと判定されていない場合、該ハンドオーバ要求を受け付けないように構成されていてもよい。【００２１】
本発明の第３の特徴は、ネットワーク装置であって、移動局によって送信された特定通信の開始を要求する通信開始要求に係る通信種別を判定するように構成されている通信種別判定部と、前記通信開始要求に係る通信種別及び前記移動局の位置に基づいて、該移動局が該特定通信を行う際に接続すべき接続先無線基地局を選択するように構成されている接続先無線基地局選択部と、前記移動局に対して、前記接続先無線基地局選択部によって選択された前記接続先無線基地局を介して通信を開始するための接続用パラメータを通知するように構成されている接続用パラメータ通知部とを具備することを要旨とする。【００２２】
本発明の第３の特徴において、前記接続先無線基地局選択部は、前記移動局の位置登録エリア、該移動局が通信中のセルの識別情報、該移動局が位置する経度、緯度及び高度を示す位置情報の少なくとも１つに基づいて、該移動局の位置を把握するように構成されていてもよい。【００２３】
本発明の第３の特徴において、前記特定通信が、緊急通信である場合、前記接続先無線基地局選択部は、前記移動局が該特定通信を行う際に接続すべき接続先無線基地局として、設置位置情報、配下のエリアにおける無線品質状況、バックホール回線の品質状況、公衆通信用無線基地局であるか否かの少なくとも１つによって信頼性が高いと判定されている無線基地局を選択するように構成されていてもよい。【００２４】
本発明の第３の特徴において、前記特定通信として緊急通信を行っている前記移動局が、特定無線基地局に対するハンドオーバ要求を送信した場合、該特定無線基地局について信頼性が高いと判定されていない場合、該ハンドオーバ要求を受け付けないように構成されていてもよい。【００２５】
本発明の第４の特徴は、無線基地局であって、移動局によって送信された特定通信の開始を要求する通信開始要求に係る通信種別及び該移動局の位置に基づいて、該移動局が該特定通信を行う際に接続すべき接続先無線基地局を選択するように構成されている接続先無線基地局選択部と、前記移動局に対して、前記接続先無線基地局選択部によって選択された前記接続先無線基地局を介して通信を開始するための接続用パラメータを通知するように構成されている接続用パラメータ通知部とを具備することを要旨とする。【００２６】
本発明の第４の特徴において、前記接続先無線基地局選択部は、前記移動局の位置登録エリア、該移動局が通信中のセルの識別情報、該移動局が位置する経度、緯度及び高度を示す位置情報の少なくとも１つに基づいて、該移動局の位置を把握するように構成されていてもよい。【００２７】
本発明の第４の特徴において、前記特定通信が、緊急通信である場合、前記接続先無線基地局選択部は、前記移動局が該特定通信を行う際に接続すべき接続先無線基地局として、設置位置情報、配下のエリアにおける無線品質状況、バックホール回線の品質状況、公衆通信用無線基地局であるか否かの少なくとも１つによって信頼性が高いと判定されている無線基地局を選択するように構成されていてもよい。【００２８】
本発明の第５の特徴は、集約装置であって、移動局によって送信された特定通信の開始を要求する通信開始要求に係る通信種別及び該移動局の位置に基づいて、該移動局が該特定通信を行う際に接続すべき無線基地局を選択するように構成されている接続先無線基地局選択部と、前記移動局に対して、前記接続先無線基地局選択部によって選択された前記無線基地局を介して通信を開始するための接続用パラメータを通知するように構成されている接続用パラメータ通知部とを具備することを要旨とする。
【発明の効果】
【００２９】
以上説明したように、本発明によれば、緊急通信のような特定通信に対するユーザからのサービス品質要求を満たすことができる移動通信方法、無線制御装置、ネットワーク装置、無線基地局及び集約装置を提供することができる。
【図面の簡単な説明】
【００３０】
【図１】図１は、本発明の第１の実施形態に係る移動通信システムの全体構成図である。
【図２】図２は、本発明の第１の実施形態に係るネットワーク装置の機能ブロック図である。
【図３】図３は、本発明の第１の実施形態に係る無線制御装置の機能ブロック図である。
【図４】図４は、本発明の第１の実施形態に係る無線基地局の機能ブロック図である。
【図５】図５は、本発明の第１の実施形態に係る移動通信システムの動作を説明するための図である。
【図６】図６は、本発明の第１の実施形態に係る移動通信システムの動作を示すシーケンス図である。
【図７】図７は、本発明の第２の実施形態に係る移動通信システムの全体構成図である。
【図８】図８は、本発明の第２の実施形態に係る無線基地局の機能ブロック図である。
【図９】図９は、本発明の第２の実施形態に係る移動通信システムの動作を示すシーケンス図である。
【図１０】図１０は、本発明の第３の実施形態に係るネットワーク装置の機能ブロック図である。
【図１１】図１１は、本発明の第３の実施形態に係る移動通信システムの動作を示すシーケンス図である。
【図１２】図１２は、本発明の第４の実施形態に係る移動通信システムの全体構成図である。
【図１３】図１３は、本発明の第５の実施形態に係る移動通信システムの動作を示すシーケンス図である。
【発明を実施するための形態】
【００３１】
（本発明の第１の実施形態に係る移動通信システムの構成）
図１乃至図４を参照して、本発明の第１の実施形態に係る移動通信システムの構成について説明する。本実施形態に係る移動通信システムは、Ｗ-ＣＤＭＡ方式が適用されている移動通信システムである。
【００３２】
図１に示すように、本実施形態に係る移動通信システムは、ネットワーク装置５００（例えば、交換局）と、無線制御装置１００と、セキュリティ装置ＳＧＷ（Ｓｅｃｕｒｉｔｙ  Ｇａｔｅｗａｙ）４００と、無線基地局２００及び２０１とを具備している。
【００３３】
ここで、無線基地局２００及び２０１は、無線制御装置１００に収容されており、無線制御装置１００は、ネットワーク装置５００に収容されている。
【００３４】
なお、無線基地局２００は、移動通信事業者によって管理されている移動通信事業者ネットワークに設置されている公衆通信用無線基地局であり、無線基地局２０１は、移動通信事業者によって提供されている通信サービスに加入しているユーザの管理下にあるホーム無線基地局である。
【００３５】
例えば、無線基地局２０１は、上述のユーザによって管理されているユーザ用ＬＡＮ内に設置され、ＦＴＴＨやＡＤＳＬといったアクセス回線等から形成される固定回線事業者ネットワークを介して、移動通信事業者ネットワーク上の無線制御装置１００に接続されている。
【００３６】
なお、無線基地局２０１では、移動通信事業者によって制御できない当該無線基地局２０１が接続されているユーザネットワーク（ユーザ用ＬＡＮ）上のＰＣ６００からのインターネットトラフィックと無線基地局２０１を介するトラフィックとが１つのアクセス回線に重畳されるため、移動局３００からのサービス品質要求を満足できない可能性がある。
【００３７】
一方、ＳＧＷ４００は、移動通信事業者ネットワークの境界線上に設置されている。かかるＳＧＷ４００は、他のネットワークからの不正なアクセスから移動通信事業者ネットワークを守るためのゲートウェイ装置であり、認証手順により正規と認められたアクセスのみを移動通信事業者ネットワークに通すように構成されている。
【００３８】
図２に示すように、ネットワーク装置５００は、呼設定要求受信部１１と、通信種別判定部１２と、呼情報送信部１３と、呼設定部１４とを具備している。
【００３９】
呼設定要求受信部１１は、移動局３００によって送信された特定通信の開始を要求する呼設定要求（通信開始要求）を受信するように構成されている。
【００４０】
通信種別判定部１２は、呼設定要求受信部１１によって受信された呼設定要求（通信開始要求）に係る通信種別、すなわち、呼設定要求（通信開始要求）の対象の通信の種別を判定するように構成されている。
【００４１】
具体的には、通信種別判定部１２は、呼設定要求受信部１１によって受信された呼設定要求（通信開始要求）に含まれる宛先情報に基づいて、呼設定要求（通信開始要求）に係る通信種別を判定するように構成されていてもよい。
【００４２】
例えば、通信種別判定部１２は、呼設定要求受信部１１によって受信された呼設定要求（通信開始要求）に含まれる宛先情報が「１１０番」や「１１９番」である場合に、当該呼設定要求（通信開始要求）に係る通信種別を「緊急通信或いは重要通信」であると判定する。
【００４３】
呼情報送信部１３は、呼設定要求受信部１１によって受信された呼設定要求（通信開始要求）に係る通信種別が「特定通信（例えば、緊急通信）」である場合に、その旨を示す呼情報を、無線制御装置１００に送信するように構成されている。
【００４４】
呼設定部１４は、呼設定要求受信部１１によって受信された呼設定要求（通信開始要求）に係る通信種別が「特定通信（例えば、緊急通信）」以外である場合に、当該呼設定要求（通信開始要求）に応じて、呼設定処理を行うように構成されている。
【００４５】
また、無線制御装置１００は、無線基地局２００及び２０１に対して、かかる無線基地局２００及び２０１と移動局３００との間の無線通信で用いられる運用パラメータを割り当てたり、当該運用パラメータを管理したりするように構成されている。
【００４６】
具体的には、図３に示すように、無線制御装置１００は、呼情報受信部２１と、接続先無線基地局選択部２２と、接続用パラメータ通知部２３と、無線基地局情報取得部２４と、無線基地局情報管理部２５とを具備している。
【００４７】
呼情報受信部２１は、ネットワーク装置５００から、上述の呼情報を受信するように構成されている。
【００４８】
無線基地局情報取得部２４は、ユーザネットワークに接続されている各ホーム無線基地局（例えば、無線基地局２０１）によって通知された通信品質情報を取得するように構成されている。
【００４９】
ここで、かかる通信品質情報は、無線基地局２０１において、通信品質を保証することができるか否かについて示すものである。
【００５０】
無線基地局情報管理部２５は、無線基地局情報取得部２４によって取得された各ホーム無線基地局（例えば、無線基地局２０１）における通信品質情報を管理するように構成されている。
【００５１】
接続先無線基地局選択部２２は、呼情報受信部２１によって受信された呼情報によって通知されている「通信種別」及び「移動局３００の位置」に基づいて、移動局３００が「特定通信（例えば、緊急通信）」を行う際に接続すべき無線基地局を選択するように構成されている。
【００５２】
ここで、接続先無線基地局選択部２２は、移動局３００の位置登録エリア、移動局３００が通信中のセルの識別情報、移動局３００が位置する経度、緯度及び高度を示す位置情報（例えば、ＧＰＳ位置情報）の少なくとも１つに基づいて、移動局３００の位置を把握するように構成されていてもよい。
【００５３】
上述の「特定通信」が「緊急通信」である場合、接続先無線基地局選択部２２は、移動局３００が「特定通信」を行う際に接続すべき無線基地局として、設置位置情報、配下のエリアにおける無線品質状況、バックホール回線（アクセス回線）の品質状況、公衆通信用無線基地局であるか否かの少なくとも１つによって信頼性が高いと判定されている無線基地局を選択するように構成されていてもよい。
【００５４】
また、接続先無線基地局選択部２２は、無線基地局情報管理部２５によって管理されている各ホーム無線基地局における通信品質情報に基づいて、移動局３００が「特定通信（例えば、緊急通信）」を行う際に接続すべき無線基地局を選択するように構成されていてもよい。
【００５５】
接続用パラメータ通知部２３は、移動局３００に対して、接続先無線基地局選択部２２によって選択された無線基地局を介して通信を開始するための接続用パラメータ（例えば、拡散コードや周波数情報や時間タイミング等）を通知するように構成されている。
【００５６】
また、「特定通信」として「緊急通信」を行っている移動局３００が、特定無線基地局に対するハンドオーバ要求を送信した場合、無線制御装置１００は、かかる特定無線基地局について信頼性が高いと判定されていない場合には、かかるハンドオーバ要求を受け付けないように構成されている。
【００５７】
図４に示すように、無線基地局２０１は、ユーザネットワーク監視部３１と、品質保証可否判定部３２と、通知部３３とを具備している。
【００５８】
ユーザネットワーク監視部３１は、ユーザネットワークにおける所定トラフィックを監視するように構成されている。
【００５９】
具体的には、ユーザネットワーク監視部３１は、所定トラフィックとして、ユーザネットワーク内のインターネットトラフィックを監視するように構成されていてもよい。
【００６０】
例えば、ユーザネットワーク監視部３１は、ユーザネットワークにおいて、無線基地局２０１宛てのトラフィック、移動局３００宛てのトラフィック、移動通信事業者ネットワーク宛てのトラフィック以外のトラフィックを、インターネットトラフィックと判断するように構成されている。
【００６１】
品質保証可否判定部３２は、無線基地局２０１において、通信品質を保証することができるか否かについて判定するように構成されている。
【００６２】
例えば、品質保証可否判定部３２は、上述の所定トラフィックが所定閾値を超えたことを検知した場合、通信品質を保証することができないと判定してもよい。
【００６３】
通知部３３は、品質保証可否判定部３２による判定結果に基づいて通信品質情報を生成して、無線制御装置１００に対して通知するように構成されている。
【００６４】
なお、通知部３３は、品質保証可否判定部３２によって、無線基地局２０１において、通信品質を保証することができないと判定された場合のみ、通信品質情報を生成して、無線制御装置１００に対して通知するように構成されていてもよい。
【００６５】
（本発明の第１の実施形態に係る移動通信システムの動作）
図５及び図６を参照して、本発明の第１の実施形態に係る移動通信システムの動作について説明する。
【００６６】
なお、図５に示すように、本実施形態では、移動局３００は、無線基地局２０１に接続しているものと仮定し、無線基地局２０１のカバーエリアは、無線基地局２００のカバーエリアと重複しているものと仮定する。
【００６７】
ステップＳ１０００において、移動局３００は、無線基地局２０１及び無線制御装置１００を介して、ネットワーク装置５００に対して、特定通信（例えば、緊急通信）の開始を要求する呼設定要求（通信開始要求）を送信する。
【００６８】
ステップＳ１００１において、ネットワーク装置５００は、受信した呼設定要求（通信開始要求）に基づいて、移動局３００によって開始することが要求されている通信の種別を識別する。
【００６９】
例えば、ネットワーク装置５００は、呼設定要求（通信開始要求）に含まれる宛先情報が「１１０番」や「１１９番」である場合、かかる呼設定要求によって「緊急通信（重要通信）」を開始することが要求されていると判定する。
【００７０】
かかる判定の後、ステップＳ１００２において、ネットワーク装置５００は、移動局３００によって送信された呼設定要求（通信開始要求）の内容を示す呼情報を、無線制御装置１００に通知する。
【００７１】
ステップＳ１００３において、無線制御装置１００は、受信した呼情報によって通知されている「特定通信」が「緊急通信（重要通信）」であること、及び、移動局３００の接続している無線基地局２０１がユーザ管理のホーム無線基地局であることを識別し、移動通信事業者ネットワーク管理下の公衆通信用無線基地局であり且つカバーエリアが無線基地局２０１と重複している無線基地局２００を、移動局３００の新たな接続先の無線基地局として選択する。
【００７２】
ここで、無線制御装置１００は、通信品質を保証することができる状態のホーム無線基地局を、移動局３００の新たな接続先の無線基地局として選択してもよい。
【００７３】
ステップＳ１００４において、無線制御装置１００は、選択した無線基地局２００で用いられている周波数等の接続用パラメータを、移動局３００に対して通知する。
【００７４】
移動局３００は、ステップＳ１００５において、受信した接続用パラメータを用いて無線基地局２００に接続した後に、ステップＳ１００６において、再度、無線基地局２００及び無線制御装置１００を介して、ネットワーク装置５００に対して、呼設定要求（通信開始要求）を通知する。
【００７５】
ステップＳ１００７において、移動局３００は、無線基地局２００との間で、呼設定要求に係る呼を確立する、すなわち、呼設定要求に係る通信を開始する。
【００７６】
（本発明の第１の実施形態に係る移動通信システムの作用・効果）
本発明の第１の実施形態に係る移動通信システムによれば、緊急通信（重要通信）については、通信品質を保証することができる公衆通信用無線基地局を用いて行い、一般の通信については、通信品質を保証することができない可能性があるホーム無線基地局を用いて行うことができ、移動局３００からのサービス品質要求に応えることができる。
【００７７】
（第２の実施形態に係る移動通信システム）
図７乃至図９を参照して、本発明の第２の実施形態に係る移動通信システムについて、上述の第１の実施形態に係る移動通信システムとの相違点に着目して説明する。
【００７８】
上述の第１の実施形態では、Ｗ-ＣＤＭＡ方式の移動通信システムを例に挙げて説明されているが、本発明は、かかる移動通信システムに限定されるものではなく、例えば、ＬＴＥ（Ｌｏｎｇ  Ｔｅｒｍ  Ｅｖｏｌｕｔｉｏｎ）方式の移動通信システムにも適用可能である。
【００７９】
そこで、本発明の第２の実施形態に係る移動通信システムは、ＬＴＥ方式が適用されている移動通信システムであるものとする。
【００８０】
かかる場合、上述の無線制御局１００の機能は、無線基地局ｅＮＢに搭載されることになるため、図７に示すように、無線基地局２００及び２０１は、ネットワーク装置５００に接続されて無線アクセスネットワークが構成されることになる。
【００８１】
図８に示すように、無線基地局２０１は、呼情報受信部２１と、接続先無線基地局選択部２２と、接続用パラメータ通知部２３と、無線基地局情報取得部２４と、無線基地局情報管理部２５と、ユーザネットワーク監視部３１と、品質保証可否判定部３２とを具備している。
【００８２】
呼情報受信部２１は、図３に示す呼情報受信部２１と同様に、ネットワーク装置５００から、上述の呼情報を受信するように構成されている。
【００８３】
無線基地局情報取得部２４は、他のホーム無線基地局や公衆通信用無線基地局との間で制御情報をやり取りすることによって、他のホーム無線基地局や公衆通信用無線基地局にかかる無線基地局情報（例えば、カバーエリア等）を取得するように構成されている。ここで、かかる無線基地局情報には、上述の通信品質情報が含まれている。
【００８４】
無線基地局情報管理部２５は、無線基地局情報取得部２４によって取得された各ホーム無線基地局や公衆通信用無線基地局に係る無線基地局情報を管理するように構成されている。
【００８５】
接続先無線基地局選択部２２は、図３に示す接続先無線基地局選択部２２と同様に、呼情報受信部２１によって受信された呼情報によって通知されている「通信種別」及び「移動局３００の位置」に基づいて、移動局３００が「特定通信（例えば、緊急通信）」を行う際に接続すべき無線基地局を選択するように構成されている。
【００８６】
また、接続先無線基地局選択部２２は、図３に示す接続先無線基地局選択部２２と同様に、無線基地局情報管理部２５によって管理されている各ホーム無線基地局における通信品質情報に基づいて、移動局３００が「特定通信（例えば、緊急通信）」を行う際に接続すべき無線基地局を選択するように構成されていてもよい。
【００８７】
接続用パラメータ通知部２３は、図３に示す接続用パラメータ通知部２３と同様に、移動局３００に対して、接続先無線基地局選択部２２によって選択された無線基地局を介して通信を開始するための接続用パラメータ（例えば、拡散コードや周波数情報や時間タイミング等）を通知するように構成されている。
【００８８】
なお、ユーザネットワーク監視部３１及び品質保証可否判定部３２は、図４に示すユーザネットワーク監視部３１及び品質保証可否判定部３２と同一の機能を具備する。
【００８９】
以下、図９を参照して、本実施形態に係る移動通信システムの動作について説明する。
【００９０】
なお、本実施形態も、上述の第１の実施形態と同様に、図５に示すように、移動局３００は、無線基地局２０１に接続しているものと仮定し、無線基地局２０１のカバーエリアは、無線基地局２００のカバーエリアと重複しているものと仮定する。
【００９１】
ステップＳ２０００において、移動局３００は、無線基地局２０１を介して、ネットワーク装置５００に対して、特定通信（例えば、緊急通信）の開始を要求する呼設定要求（通信開始要求）を送信する。
【００９２】
ステップＳ２００１において、ネットワーク装置５００は、受信した呼設定要求（通信開始要求）に基づいて、移動局３００によって開始することが要求されている通信の種別を識別する。
【００９３】
例えば、ネットワーク装置５００は、呼設定要求（通信開始要求）に含まれる宛先情報が「１１０番」や「１１９番」である場合、かかる呼設定要求によって「緊急通信（重要通信）」を開始することが要求されていると判定する。
【００９４】
かかる判定の後、ステップＳ２００２において、ネットワーク装置５００は、移動局３００によって送信された呼設定要求（通信開始要求）の内容を示す呼情報を、無線基地局２０１に通知する。
【００９５】
ステップＳ２００３において、無線基地局２０１は、受信した呼情報によって通知されている「特定通信」が「緊急通信（重要通信）」であることを識別し、移動通信事業者ネットワーク管理下の公衆通信用無線基地局であり且つカバーエリアが無線基地局２０１と重複している無線基地局２００を、移動局３００の新たな接続先の無線基地局として選択する。
【００９６】
ここで、無線基地局２０１は、通信品質を保証することができる状態のホーム無線基地局を、移動局３００の新たな接続先の無線基地局として選択してもよい。
【００９７】
ステップＳ２００４において、無線基地局２０１は、選択した無線基地局２００で用いられている周波数等の接続用パラメータを、移動局３００に対して通知する。
【００９８】
移動局３００は、ステップＳ２００５において、受信した接続用パラメータを用いて無線基地局２００に接続した後に、ステップＳ２００６において、再度、無線基地局２００を介して、ネットワーク装置５００に対して、呼設定要求（通信開始要求）を通知する。
【００９９】
ステップＳ２００７において、移動局３００は、無線基地局２００との間で、呼設定要求に係る呼を確立する、すなわち、呼設定要求に係る通信を開始する。
【０１００】
（第３の実施形態に係る移動通信システム）
図１０及び図１１を参照して、本発明の第３の実施形態に係る移動通信システムについて、上述の第１の実施形態に係る移動通信システムとの相違点に着目して説明する。
【０１０１】
なお、本発明の第３の実施形態に係る移動通信システムは、ＬＴＥ方式が適用されている移動通信システムであるものとする。
【０１０２】
図１０に示すように、ネットワーク装置５００は、呼設定要求受信部１１と、通信種別判定部１２と、呼設定部１４と、接続先無線基地局選択部２２と、接続用パラメータ通知部２３と、無線基地局情報取得部２４と、無線基地局情報管理部２５とを具備している。
【０１０３】
なお、各部の機能については、上述した第１の実施形態に係る無線制御装置１００及びネットワーク装置５００に具備されている同じ符号及び名称の各部の機能と同一である。
【０１０４】
以下、図１１を参照して、本実施形態に係る移動通信システムの動作について説明する。
【０１０５】
なお、本実施形態も、上述の第１の実施形態と同様に、図５に示すように、移動局３００は、無線基地局２０１に接続しているものと仮定し、無線基地局２０１のカバーエリアは、無線基地局２００のカバーエリアと重複しているものと仮定する。
【０１０６】
ステップＳ３０００において、移動局３００は、無線基地局２０１を介して、ネットワーク装置５００に対して、特定通信（例えば、緊急通信）の開始を要求する呼設定要求（通信開始要求）を送信する。
【０１０７】
ステップＳ３００１において、ネットワーク装置５００は、受信した呼設定要求（通信開始要求）に基づいて、移動局３００によって開始することが要求されている通信の種別を識別する。
【０１０８】
例えば、ネットワーク装置５００は、呼設定要求（通信開始要求）に含まれる宛先情報が「１１０番」や「１１９番」である場合、かかる呼設定要求によって「緊急通信（重要通信）」を開始することが要求されていると判定する。
【０１０９】
かかる判定の後、ステップＳ３００２において、ネットワーク装置５００は、上述の「特定通信」が「緊急通信（重要通信）」であること、及び、移動局３００の接続している無線基地局２０１がユーザ管理のホーム無線基地局であることを識別し、移動通信事業者ネットワーク管理下の公衆通信用無線基地局であり且つカバーエリアが無線基地局２０１と重複している無線基地局２００を、移動局３００の新たな接続先の無線基地局として選択する。
【０１１０】
ここで、ネットワーク装置５００は、通信品質を保証することができる状態のホーム無線基地局を、移動局３００の新たな接続先の無線基地局として選択してもよい。
【０１１１】
ステップＳ３００３において、ネットワーク装置５００は、選択した無線基地局２００で用いられている周波数等の接続用パラメータを、移動局３００に対して通知する。
【０１１２】
移動局３００は、ステップＳ３００４において、受信した接続用パラメータを用いて無線基地局２００に接続した後に、ステップＳ３００５において、再度、無線基地局２００を介して、ネットワーク装置５００に対して、呼設定要求（通信開始要求）を通知する。
【０１１３】
ステップＳ３００６において、移動局３００は、無線基地局２００との間で、呼設定要求に係る呼を確立する、すなわち、呼設定要求に係る通信を開始する。
【０１１４】
（第４の実施形態に係る移動通信システム）
図１２を参照して、本発明の第４の実施形態に係る移動通信システムについて、上述の第１の実施形態に係る移動通信システムとの相違点に着目して説明する。
【０１１５】
図１２に示すように、本実施形態に係る移動通信システムには、集約装置ＨＮＢ-ＧＷが設けられており、無線基地局２０１は、かかる集約装置ＨＮＢ-ＧＷに収容されている。
【０１１６】
なお、集約装置ＨＮＢ-ＧＷは、上述の第１の実施形態に係る無線制御装置１００の機能（図３に示す機能）の少なくとも一部を具備するように構成されている。
【０１１７】
本実施形態に係る移動通信システムは、Ｗ-ＣＤＭＡ方式の移動通信システムであってもよいし、ＬＴＥ方式の移動通信システムであってもよい。
【０１１８】
（第５の実施形態に係る移動通信システム）
図１３を参照して、本発明の第５の実施形態に係る移動通信システムについて、上述の第３の実施形態に係る移動通信システムとの相違点に着目して説明する。
【０１１９】
本実施形態に係る無線基地局２０１は、上述の第３の実施形態に係るネットワーク装置５００の機能（図１０に示す機能）の少なくとも一部を具備するように構成されている。
【０１２０】
以下、図１３を参照して、本実施形態に係る移動通信システムの動作について説明する。
【０１２１】
なお、本実施形態も、上述の第１の実施形態と同様に、図５に示すように、移動局３００は、無線基地局２０１に接続しているものと仮定し、無線基地局２０１のカバーエリアは、無線基地局２００のカバーエリアと重複しているものと仮定する。
【０１２２】
ステップＳ４０００において、移動局３００は、無線基地局２０１に対して、特定通信（例えば、緊急通信）の開始を要求する呼設定要求（通信開始要求）を送信する。
【０１２３】
ステップＳ４００１において、無線基地局２０１は、受信した呼設定要求（通信開始要求）に基づいて、移動局３００によって開始することが要求されている通信の種別を識別する。
【０１２４】
例えば、無線基地局２０１は、呼設定要求（通信開始要求）に含まれる宛先情報が「１１０番」や「１１９番」である場合、かかる呼設定要求によって「緊急通信（重要通信）」を開始することが要求されていると判定する。
【０１２５】
かかる判定の後、ステップＳ４００２において、無線基地局２０１は、上述の「特定通信」が「緊急通信（重要通信）」であること、及び、移動局３００の接続している無線基地局２０１がユーザ管理のホーム無線基地局であることを識別し、移動通信事業者ネットワーク管理下の公衆通信用無線基地局であり且つカバーエリアが無線基地局２０１と重複している無線基地局２００を、移動局３００の新たな接続先の無線基地局として選択する。
【０１２６】
ここで、無線基地局２０１は、通信品質を保証することができる状態のホーム無線基地局を、移動局３００の新たな接続先の無線基地局として選択してもよい。
【０１２７】
ステップＳ４００３において、無線基地局２０１は、選択した無線基地局２００で用いられている周波数等の接続用パラメータを、移動局３００に対して通知する。
【０１２８】
移動局３００は、ステップＳ４００４において、受信した接続用パラメータを用いて無線基地局２００に接続した後に、ステップＳ４００５において、再度、無線基地局２００を介して、ネットワーク装置５００に対して、呼設定要求（通信開始要求）を通知する。
【０１２９】
ステップＳ４００６において、移動局３００は、無線基地局２００との間で、呼設定要求に係る呼を確立する、すなわち、呼設定要求に係る通信を開始する。
【０１３０】
なお、上述の無線基地局２００、２０１や無線制御装置１００やネットワーク装置５００や集約装置ＨＮＢ-ＧＷの動作は、ハードウェアによって実施されてもよいし、プロセッサによって実行されるソフトウェアモジュールによって実施されてもよいし、両者の組み合わせによって実施されてもよい。
【０１３１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１３２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局２００、２０１や無線制御装置１００やネットワーク装置５００や集約装置ＨＮＢ-ＧＷ内に設けられていてもよい。また、かかる記憶媒体及びプロセッサは、ディスクリートコンポーネントとして無線基地局２００、２０１や無線制御装置１００やネットワーク装置５００や集約装置ＨＮＢ-ＧＷ内に設けられていてもよい。
【０１３３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
2009148125.tif 000003
【図２】
2009148125.tif 000004
【図３】
2009148125.tif 000005
【図４】
2009148125.tif 000006
【図５】
2009148125.tif 000007
【図６】
2009148125.tif 000008
【図７】
2009148125.tif 000009
【図８】
2009148125.tif 000010
【図９】
2009148125.tif 000011
【図１０】
2009148125.tif 000012
【図１１】
2009148125.tif 000013
【図１２】
2009148125.tif 000014
【図１３】
2009148125.tif 000015
【国際調査報告】
2009148125.tif 000016
2009148125.tif 000017
2009148125.tif 000018